(57)【特許請求の範囲】
【請求項１】
鉄骨造の屋根を有する工場における屋根の耐震補強方法であって、
前記工場内に耐震補強鉄骨を組み立てるための防護構台を設置する工程と、
前記工場内に前記耐震補強鉄骨をスライドさせるレールを設置する工程と、
既存鉄骨と前記耐震補強鉄骨とを接合する仕口部分を施工する工程と、
前記防護構台上で前記耐震補強鉄骨を組み立てる工程と、
組み立てられた前記耐震補強鉄骨を前記レールを利用して所定位置までスライドする工程と、
前記耐震補強鉄骨と前記仕口部分とを接合する工程と、を備えていることを特徴とする屋根の耐震補強方法。
【請求項２】
前記耐震補強鉄骨は、１スパン分ずつ組み立てられ、スライド移動させることを特徴とする請求項１に記載の屋根の耐震補強方法。
【請求項３】
前記耐震補強鉄骨と前記レールとの摺動箇所に脱落防止用金物が取り付けられていることを特徴とする請求項１または２に記載の屋根の耐震補強方法。
【請求項４】
前記レールが、前記工場内に組み立てられた仮設足場又は仮設柱の上部に配されていることを特徴とする請求項１〜３のいずれか１項に記載の屋根の耐震補強方法。
【請求項５】
前記レールは、前記工場内に予め設置されている天井クレーンのクレーンガーターを利用することを特徴とする請求項１〜３のいずれか１項に記載の屋根の耐震補強方法。
【請求項６】
前記レールに沿ってスライド移動可能な作業ステージをさらに備えていることを特徴とする請求項１〜５のいずれか１項に記載の屋根の耐震補強方法。
【請求項７】
前記既存鉄骨と前記耐震補強鉄骨との結合作業を行うための作業ステージが、前記既存鉄骨または前記耐震補強鉄骨から吊り下げられているとともに、前記レールの延在方向に移動可能に構成されていることを特徴とする請求項１〜５のいずれか１項に記載の屋根の耐震補強方法。
【発明の詳細な説明】
【技術分野】
【０００１】
本発明は、稼働中の工場における屋根の耐震補強方法に関するものである。
【背景技術】
【０００２】
ビルなどの建築物における耐震補強の一般的な方法としては、柱と梁とで囲まれた開口部に鉄骨ブレースなどの補強体を設置する壁面を利用した耐震補強工事が知られている（例えば、特許文献１参照）。しかしながら、工場などの大空間を有する建築物においては、屋根が大スパンの鉄骨造になっており、屋根の耐震補強工事が必要になる場合がある。
【０００３】
ここで、稼働中の工場の屋根を耐震補強する必要がある場合、工場内を平面的にいくつかのエリアに分割し、一のエリアに配置された工作機械や装置類を別の場所に移動して、その場所に足場を組んで屋根の耐震補強工事をする方法が採用されている。また、休日や夜間などに工場が稼働していない時間帯がある場合には、当該時間帯に工作機械や装置類の上方に足場を組んで屋根の耐震補強工事をする方法が採用されることもある。
【先行技術文献】
【特許文献】
【０００４】
【特許文献１】特開２００８−１４０６５号公報
【発明の概要】
【発明が解決しようとする課題】
【０００５】
しかしながら、部分的にエリアを空けて順次工事を行う場合には、工場の稼働を部分的に止めることになり、工場の稼働効率が低下するという問題がある。また、大型の工作機械や装置類の中には移動することができないものもあり、耐震補強工事ができない箇所が出てしまうという問題もある。
また、休日や夜間などの時間帯を使用して工事を行う場合には、耐震補強工事の作業開始前に工作機械や装置類の養生を行い、作業終了後に養生を撤去するなど、本来の耐震補強工事以外の作業の工数が多くなり、作業効率が低下して大幅なコストアップになるという問題がある。
【０００６】
そこで、本発明は、上記事情を鑑みてなされたものであり、工場を稼働停止させることなく、かつ、作業効率を向上することができる屋根の耐震補強方法を提供するものである。
【課題を解決するための手段】
【０００７】
上記の課題を解決するために、請求項１に記載した発明は、鉄骨造の屋根を有する工場における屋根の耐震補強方法であって、前記工場内に耐震補強鉄骨を組み立てるための防護構台を設置する工程と、前記工場内に前記耐震補強鉄骨をスライドさせるレールを設置する工程と、既存鉄骨と前記耐震補強鉄骨とを接合する仕口部分を施工する工程と、前記防護構台上で前記耐震補強鉄骨を組み立てる工程と、組み立てられた前記耐震補強鉄骨を前記レールを利用して所定位置までスライドする工程と、前記耐震補強鉄骨と前記仕口部分とを接合する工程と、を備えていることを特徴としている。
【０００８】
請求項１に記載した発明によれば、工場内の隅部であって、工場の稼働に影響の無い箇所に適当な広さの防護構台を設置することにより、工場の稼働エリアと工事エリアを上下に分離することができる。したがって、工場を稼働停止させることなく屋根の耐震補強工事を行うことができる。また、防護構台上で耐震補強鉄骨を組み立て、レールでスライド移動させることにより、鉄骨組立作業を連続して効率よく行うことができ、屋根の耐震補強工事の作業効率を向上することができる。さらに、鉄骨組立作業を昼間作業とすることができるため、作業単価を改善することができる。そして、鉄骨組立作業を防護構台上で行うため、地上での作業と略同一の環境で作業することができ、安全で効率よく工事を行うことができる。
【０００９】
請求項２に記載した発明は、前記耐震補強鉄骨は、１スパン分ずつ組み立てられ、スライド移動させることを特徴としている。
【００１０】
請求項２に記載した発明によれば、防護構台上での作業を１スパン分ずつ繰り返し作業とすることができるため、作業効率を向上することができる。
【００１１】
請求項３に記載した発明は、前記耐震補強鉄骨と前記レールとの摺動箇所に脱落防止用金物が取り付けられていることを特徴としている。
【００１２】
請求項３に記載した発明によれば、耐震補強鉄骨をレールに沿って移動させる際に、耐震補強鉄骨が脱落するのを確実に防止することができる。したがって、安全に耐震補強工事を行うことができる。
【００１３】
請求項４に記載した発明は、前記レールが、前記工場内に組み立てられた仮設足場又は仮設柱の上部に配されていることを特徴としている。
【００１４】
請求項４に記載した発明によれば、工事の稼働に影響の無い工場内の壁際などに仮設足場又は仮設柱を組み立てて、そこにレール部材を設けるだけで耐震補強鉄骨をスライド移動させることができるため、簡易な構成で所望の作業を行うことができる。また、壁際に仮設足場又は仮設柱を組み立てることにより、壁面の塗装工事などの改修工事を併行して行うことができる。
【００１５】
請求項５に記載した発明は、前記レールは、前記工場内に予め設置されている天井クレーンのクレーンガーターを利用することを特徴としている。
【００１６】
請求項５に記載した発明によれば、耐震補強鉄骨をスライド移動させるためのレールを新たに設置する必要がないため、耐震補強工事の作業効率をさらに向上させることができる。
【００１７】
請求項６に記載した発明は、前記レールに沿ってスライド移動可能な作業ステージをさらに備えていることを特徴としている。
【００１８】
請求項６に記載した発明によれば、ステージをさらに設けることにより、耐震補強鉄骨および既存鉄骨の塗装工事などを容易に行うことができる。また、作業ステージを移動可能に構成することにより、作業ステージの解体・組立て作業を軽減することができる。したがって、より安全に、より効率よく屋根の耐震補強工事を行うことができる。また、足場上に溶接の火花養生を施したまま移動させることができるため、養生作業を削減することができ、作業効率を向上することができる。
【００１９】
請求項７に記載した発明は、前記既存鉄骨と前記耐震補強鉄骨との結合作業を行うための作業ステージが、前記既存鉄骨または前記耐震補強鉄骨から吊り下げられているとともに、前記レールの延在方向に移動可能に構成されていることを特徴としている。
【００２０】
請求項７に記載した発明によれば、吊り足場の掛けばらし作業がなくなるため、高所作業を大幅に削減することができ、より安全に屋根の耐震補強工事を行うことができる。また、足場上に溶接の火花養生を施したまま移動させることができるため、養生作業を削減することができ、作業効率を向上することができる。
【発明の効果】
【００２１】
本発明の屋根の耐震補強方法によれば、工場内の隅部であって、工場の稼働に影響の無い箇所に適当な広さの防護構台を設置することにより、工場の稼働エリアと工事エリアを上下に分離することができる。したがって、工場を稼働停止させることなく屋根の耐震補強工事を行うことができる。また、防護構台上で耐震補強鉄骨を組み立て、レールでスライド移動させることにより、鉄骨組立作業を連続して効率よく行うことができ、屋根の耐震補強工事の作業効率を向上することができる。さらに、鉄骨組立作業を昼間作業とすることができるため、作業単価を改善することができる。そして、鉄骨組立作業を防護構台上で行うため、地上での作業と略同一の環境で作業することができ、安全で効率よく工事を行うことができる。
【図面の簡単な説明】
【００２２】
【図１】本発明の実施形態における工場の屋根伏図（耐震補強前）である。
【図２】本発明の実施形態における工場の梁伏図（耐震補強前）である。
【図３】図１のＡ−Ａ線に沿う断面図（耐震補強前）である。
【図４】本発明の実施形態における工場の梁伏図（耐震補強後）である。
【図５】図４のＢ−Ｂ線に沿う断面図（耐震補強後）である。
【図６】本発明の実施形態における耐震補強工事中の状態を示す屋根伏図である。
【図７】本発明の実施形態における補強梁と既存鉄骨との接合状態を示す側面部（一部断面図）である。
【図８】本発明の実施形態における補強梁をスライド移動させる方法を説明する正面図である。
【図９】本発明の実施形態における補強梁と既存鉄骨との接合状態を示す斜視部である。
【図１０】本発明の実施形態における補強梁をスライド移動させる途中状態を示す斜視図（１）である。
【図１１】本発明の実施形態における補強梁をスライド移動させる途中状態を示す斜視図（２）である。
【図１２】本発明の実施形態における作業ステージを示す平面図である。
【図１３】本発明の実施形態における作業ステージ上に枠組み足場を組み立てた状態を示す側面図である。
【図１４】本発明の実施形態における作業ステージ上に枠組み足場を組み立てた状態を示す正面図である。
【図１５】本発明の実施形態における作業ステージの別の態様を示す正面図である。
【図１６】図１５の作業ステージの側面図である。
【図１７】図１５の作業ステージをスライド移動させる方法を説明する側面図（１）である。
【図１８】図１５の作業ステージをスライド移動させる方法を説明する側面図（２）である。
【図１９】図１５の作業ステージをスライド移動させる方法を説明する側面図（３）である。
【図２０】図１５の作業ステージをスライド移動させる方法を説明する側面図（４）である。
【発明を実施するための形態】
【００２３】
本発明の実施形態を図面に基づいて説明する。
図１は本実施形態における工場の屋根伏図（耐震補強前）であり、図２は工場の梁伏図（耐震補強前）であり、図３は図１のＡ−Ａ線に沿う断面図（耐震補強前）である。図１〜図３に示すように、本実施形態の工場１０は、平面視で幅約１５．５ｍ×奥行約６６ｍの大きさを有する第１空間部１１と、幅約１９ｍ×奥行約５８ｍの大きさを有する第２空間部１２と、が連結されて大空間を有している。なお、第１空間部１１および第２空間部１２は、ともに屋根１５の最大高さが約１７ｍとなっている。そして、既存の建物は鉄骨造で構成されている。
【００２４】
図４は本実施形態における工場の耐震補強工事後の屋根伏図であり、図５は図４のＢ−Ｂ線に沿う断面図である。図４、図５に示すように、本実施形態では、屋根１５を構成する既存鉄骨１７のトラス材１８を補強する工事、水平力を負担する補強梁１９を新規に設置する工事、水平ブレース２０を新規に設置する工事、繋ぎ梁２１を新規に設置する工事、および既存繋ぎ梁２２を補強する工事を行う。以下に、工場１０の屋根１５の耐震補強工事について説明する。
【００２５】
図６に示すように、本実施形態の耐震補強工事では、第１空間部１１および第２空間部１２内にそれぞれ防護構台２５を組み立てる。防護構台２５は、第１空間部１１および第２空間部１２の隅部（平面視一方端部）にそれぞれ設ける。また、防護構台２５は工場内に配されている工作機械や装置類の高さを回避する高さに設けられる。防護構台２５を設けることにより、工場１０内を稼働エリア（地上面）と工事エリア（防護構台面）とに上下に分離することができる。なお、防護構台２５の幅は、第１空間部１１および第２空間部１２の幅と略同一の大きさで設けられ、奥行は構台上で安全に作業ができる大きさ（約１〜２スパン分の大きさ）で設けられる。
【００２６】
略同時に、第１空間部１１および第２空間部１２に仮設柱２７を配置する。例えば、第１空間部１１における仮設柱２７は、第１空間部１１の奥行方向に配されている既存柱（不図示）近傍に配置する。つまり、仮設柱２７は、第１空間部１１の壁際と第１空間部１１における第２空間部１２との境界とにそれぞれ対向するように配置する。同様に、第２空間部１２における仮設柱２７は、第２空間部１２の奥行方向に配されている既存柱（不図示）近傍に配置する。
【００２７】
続いて、第１空間部１１および第２空間部１２の奥行方向に隣り合う仮設柱２７，２７の上端に仮設繋ぎ梁２９を配置する。仮設繋ぎ梁２９は、防護構台２５上で組み立てられた補強梁１９などを奥行方向にスライド移動させるためのレールとして機能するものである。
【００２８】
続いて、図７に示すように、補強梁１９などの組み立てに先行し（または併行して）補強梁１９と既存鉄骨１７とを接合するための仕口部３１を既存鉄骨１７側に施工する。
【００２９】
続いて、防護構台２５上において補強梁１９などを組み立てる。まず、防護構台２５が配された側と反対側１スパン分の補強梁１９、水平ブレース２０および繋ぎ梁２１からなる耐震補強部材（耐震補強鉄骨）を組み立てる。このとき、補強梁１９のボルト本締めやタッチアップ塗装なども全て防護構台２５上で完了させる。
【００３０】
続いて、組み立てられた補強梁１９などを１スパン分奥行方向にスライド移動させる。このとき、図８に示すように、補強梁１９などは仮設繋ぎ梁２９をレールとして利用して奥行方向にスライド移動させる。具体的には、補強梁１９の端部には仮設ブラケット３３を連結させておき、該仮設ブラケット３３の下端には仮設繋ぎ梁（レール）２９から脱落するのを防止する脱落防止金物３５が取り付けられている。脱落防止金物３５は、断面略コ字状に形成されており、仮設繋ぎ梁２９に対して上方から嵌合できるように構成されている。また、脱落防止金物３５は、隣接する仮設繋ぎ梁２９，２９の連結箇所をスムーズにスライド移動できるように、奥行方向側の両端部に上方への反り返し部が形成されている。
【００３１】
続いて、防護構台２５上で次の１スパン分の補強梁１９などを組み立てる。この組立→スライド移動の作業を繰り返し、全てのスパンの補強梁１９、水平ブレース２０および繋ぎ梁２１を所定の位置まで移動させる。
【００３２】
続いて、補強梁１９を既存鉄骨１７に順次接合する。具体的には、図９に示すように、仕口部３１（既存鉄骨１７）と補強梁１９とをボルト締めや溶接などにより接合する。この手順としては、まず、図１０に示すように、仮設繋ぎ梁２９（図１１では不図示）に沿ってスライド移動してきた仮設ブラケット３３が連結された補強梁１９を所定の位置で静止させる。続いて、図１１に示すように、補強梁１９と仕口部３１とをボルトを用いて仮接合する。略同時に補強梁１９に連結されていた仮設ブラケット３３を取り外す。続いて、図９に戻り、補強梁１９と既存鉄骨１７とを本設ブラケット３７および接合プレート３９を用いて接合するとともに、補強梁１９と仕口部３１との間をボルト本締めし、さらに必要箇所を溶接することにより補強梁１９を所定の位置に固定することができる。
【００３３】
なお、本実施形態では、仮設柱２７の上方に設けた仮設繋ぎ梁２９をレールとして利用したが、必ずしも仮設繋ぎ梁２９を利用しなくてもよい。具体的には、耐震補強工事と同時に工場１０内の壁面や既存鉄骨１７の塗装工事などの改修工事を行う場合、改修工事用に設置する仮設足場の上部に鋼材を奥行方向に架設して、該鋼材をレールとして利用してもよい。また、工場１０内に天井クレーンなどの設備が設置されている場合であって、クレーンガーターが予め設置されている場合には、該クレーンガーターをレールとして利用してもよい。
【００３４】
続いて、屋根１５を構成する既存鉄骨１７のトラス材１８を補強する工事および既存繋ぎ梁２２を補強する工事の方法について説明する。
【００３５】
屋根１５の既存鉄骨１７（トラス材１８）の補強工事や塗装工事を行う場合には、必ず足場が必要になる。また、鉄骨補強のための溶接火花の養生や、塗装工事の前工程での鉄骨ケレン作業や埃の清掃作業のための養生は、下方で工場が稼働しているため特に念入りに行う必要がある。なお、トラス材１８の補強工事とは、該トラス材１８に補強トラス材１８ａ（図１４参照）を接合して補強する工事である。
【００３６】
従来は、屋根１５の既存鉄骨１７を利用して、吊り足場や棚足場を平面視で略全面に組み立てて補強工事を行っていた。しかしながら、足場を組み立てる仮設工事は高所で行うために危険であり、工数もかかっていた。その上、溶接火花、ケレンカス、埃などは小さな穴からも落下するため、完全な養生は極めて困難である。したがって、このような作業も工場１０の稼働が停止する夜間や休日に行っている。さらに、作業開始前には火花、埃、ゴミなどの落下に備えた養生を行い、作業終了時には都度養生を撤去するという余分な作業が発生している。そこで、上述の補強梁１９の新設作業と同様に、仮設工事を少なくして安全性を向上するとともに、工場内空間を上下に分離して、昼間も補強工事、塗装工事を行うことができる方法について説明する。
【００３７】
本実施形態では、図１２に示すような奥行方向にスライド移動可能な作業ステージ４１を設ける。作業ステージ４１の移動に利用するレールは、上述した補強梁１９をスライド移動させるレール（仮設繋ぎ梁２９）とは別に設けることにより、作業ステージ４１と補強梁１９とを干渉させることなく移動させることができる。また、上述した補強梁１９をスライド移動させるレール（仮設繋ぎ梁２９）を利用する際には、この作業ステージ４１を利用して行う工事（屋根１５を構成する既存鉄骨１７のトラス材１８を補強する工事および既存繋ぎ梁２２を補強する工事）を先行して行うようにすればよい。レールを利用して作業ステージ４１をスライド移動させる際には、上述の仮設ブラケット３３に取り付けた脱落防止金物３５と略同一の構成の金物を作業ステージ４１の脚部に取り付けておくことで、レールの延在方向に作業ステージ４１をスムーズにスライド移動させることができる。
【００３８】
また、図１３に示すように、作業ステージ４１の上面は防炎シート４５などで全面養生し、小さな隙間も無いようにしておく。また、作業ステージ４１の上面と屋根１５に配された既存鉄骨１７との間は、所定の隙間が形成されている。この隙間を形成することにより、屋根１５に配された既存鉄骨１７の下面の塗装を容易に行うことができる。また、所定の隙間を形成することにより、この隙間に収まる高さの枠組み足場４３の一部４３ａを作業ステージ４１上に固定しておくことができる。このように枠組み足場４３の一部４３ａが作業ステージ４１上に組まれていることにより、スライド移動後の枠組み足場４３の組立てに要する時間を短縮することができる。
【００３９】
そして、図１３、図１４に示すように、この作業ステージ４１上には、枠組み足場４３を組み立てることができるように構成されている。ただし、枠組み足場４３を組み立てた状態では既存鉄骨１７などと干渉するため、足場をスライド移動させることはできない。したがって、作業ステージ４１を利用する際には、所望の位置まで作業ステージ４１を移動させた後、作業ステージ４１上に枠組み足場４３を組み立て、その後、枠組み足場４３を利用して既存鉄骨１７の塗装工事やトラス材１８の補強工事などを行う。そして、対象エリアの工事が完了した後に、枠組み足場４３を解体し、作業ステージ４１をまた別の位置までスライド移動して、同様の作業を繰り返しながら、屋根１５を構成する既存鉄骨１７のトラス材１８を補強する工事および既存繋ぎ梁２２を補強する工事を全スパンに亘って施工する。全スパンの工事が完了した後、作業ステージ４１を防護構台２５上までスライド移動させて戻し、防護構台２５上で作業ステージ４１を解体すればよい。
【００４０】
このように移動可能な作業ステージ４１を設けることにより、工場が稼働している昼間でも屋根１５の塗装工事や補強工事などの改修工事を実施することができる。また、作業ステージ４１上で枠組み足場４３の組立・解体を行うことができるため、安全性が向上するとともに、作業効率も向上する。さらに、作業ステージ４１を移動可能に構成することにより、仮設資材の物量が少なくなり、工事費の低減にもつながる。
【００４１】
なお、作業ステージ４１は、工場１０内に天井クレーンなどの設備が設置されている場合であって、クレーンガーターが予め設置されている場合には、該クレーンガーターをレールとして利用してもよい。また、このような耐震補強工事と同時に工場１０内の壁面の塗装工事などの改修工事を行う場合、改修工事用に設置する仮設足場の上部に鋼材を奥行方向に架設して、該鋼材を作業ステージ４１のスライド移動用のレールとして利用してもよい。さらに、上述した補強梁１９、水平ブレース２０および繋ぎ針２１からなる耐震補強部材を利用して作業ステージ４１を一緒に組み込んでもよい。
【００４２】
また、作業ステージの別の態様として、図１５に示すような奥行方向に移動可能な作業ステージ５１を設けてもよい。作業ステージ５１の移動に利用するレールは、上述した繋ぎ梁２１を利用している。この作業ステージ５１を用いて、既存鉄骨１７と新設した補強梁１９などとを結合させて一体化する工事を行う。
【００４３】
図１５、図１６に示すように、作業ステージ５１は既存の仮設材（例えば、マルチトラス材）を使用し、適当な幅と長さに組み立てたものを使用する。作業ステージ５１における繋ぎ梁２１に対向する位置には、奥行方向両側に突出した腕部材５２が取り付けられている。また、繋ぎ梁２１をまたぐように略Ｕ字状に形成された吊り材５３が設けられている。吊り材５３は、繋ぎ梁２１に引っ掛けるように配されるとともに、下端側を腕部材５２に着脱自在に固定できるようになっている。このように構成することにより、作業ステージ５１は繋ぎ梁２１の延在方向に沿って移動できる。また、作業ステージ５１を奥行方向に移動させると、吊り材５３が補強梁（大梁）１９などに干渉することがある。その際の作業ステージ５１の移動方法についてさらに説明する。
【００４４】
図１７は補強梁１９Ａの溶接作業を行っている状態を示している。このとき、作業ステージ５１は補強梁１９Ａの直下に位置しており、作業ステージ５１の吊り材５３（５３Ａ，５３Ｂ）は、補強梁１９Ａを介して両側に配されている。また、吊り材５３は、作業ステージ５１に取り付けられている２セットとは別にもう１セット吊り替え用の吊り材５３Ｃが備えられている。
【００４５】
図１８は補強梁１９Ａの溶接作業が完了し、次のスパンに設置された補強梁１９Ｂの溶接作業を行うために作業ステージ５１を移動させている途中の状態を示している。図１８に示すように、作業ステージ５１を移動させていくと、進行方向後ろ側の吊り材５３Ａが補強梁１９Ａに干渉するため、補強梁１９Ａを介して吊り材５３Ａの反対側に予備の吊り材５３Ｃを取り付ける。吊り材５３Ｃが取り付けられた後に、吊り材５３Ａを取り外す。このようにすることで、作業ステージ５１のバランスを崩すことなく、次のスパンの補強梁１９Ｂ側にスムーズに移動させることができる。
【００４６】
図１９は作業ステージ５１が次のスパンの補強梁１９Ｂ側にさらに移動して、進行方向前側の吊り材５３Ｂが次のスパンの補強梁１９Ｂに干渉している状態を示している。このとき、補強梁１９Ｂを介して吊り材５３Ｂの反対側（進行方向前側）に予備の吊り材５３Ａを取り付ける。吊り材５３Ａが取り付けられた後に、吊り材５３Ｂを取り外す。このようにすることで、作業ステージ５１をさらに次のスパンの補強梁１９Ｂ側に移動させることができる。
【００４７】
図２０は作業ステージ５１が次のスパンの補強梁１９Ｂの直下まで移動した状態を示している。この状態で補強梁１９Ｂの溶接作業などを行うことができる。なお、補強梁１９Ｂの溶接作業などが終了して、さらに次のスパンに作業ステージ５１を移動させる際には、図１７の状態に戻す必要がある。つまり、両側の吊り材５３の位置をそれぞれ吊り替える必要がある。
【００４８】
上述した図１７〜図２０の手順を繰り返すことにより作業ステージ５１は繋ぎ梁２１の延在方向に沿ってスムーズに移動できるようになっている。
なお、本実施形態では、繋ぎ梁２１を作業ステージ５１移動用のレールとして利用したが、補強梁１９の下部に作業ステージ５１移動用のレールを予め設けておき、それを利用するように構成することもできる。この場合は、吊り材５３の吊り替え作業が不要になる。また、補強梁１９の下部に設けたレールを補強部材の一部とすることにより、該レールを撤去する必要がなくなり、作業効率を向上することができる。
【００４９】
本実施形態によれば、工場１０内の隅部であって、工場１０の稼働に影響の無い箇所に適当な広さの防護構台２５を設置することにより、工場１０の稼働エリアと工事エリアを上下に分離することができる。したがって、工場１０を稼働停止させることなく屋根１５の耐震補強工事を行うことができる。また、防護構台２５上で補強梁１９、水平ブレース２０および繋ぎ梁２１からなる耐震補強鉄骨を組み立て、仮設繋ぎ梁２９で構成されたレールでスライド移動させることにより、鉄骨組立作業を連続して効率よく行うことができ、屋根１５の耐震補強工事の作業効率を向上することができる。さらに、鉄骨組立作業を昼間作業とすることができるため、作業単価を改善することができる。そして、鉄骨組立作業を防護構台２５上で行うため、地上での作業と略同一の環境で作業することができ、安全で効率よく工事を行うことができる。
【００５０】
また、耐震補強鉄骨を１スパン分ずつ組み立て、スライド移動させることにより、防護構台２５上での作業を１スパン分ずつ繰り返し作業とすることができるため、作業効率を向上することができる。
【００５１】
また、耐震補強鉄骨とレール（仮設繋ぎ梁２９）との摺動箇所に脱落防止用金物３５を取り付けたため、補強梁１９などの耐震補強鉄骨をレールに沿って移動させる際に、耐震補強鉄骨が脱落するのを確実に防止することができる。したがって、安全に耐震補強工事を行うことができる。
【００５２】
また、レールに沿ってスライド移動可能な作業ステージ４１を設けたため、既存鉄骨１７の補強工事や塗装工事などを容易に行うことができる。また、作業ステージ４１を移動可能に構成することにより、作業ステージ４１の解体・組立て作業を軽減することができる。したがって、より安全に、より効率よく屋根１５の耐震補強工事を行うことができる。また、足場上に溶接の火花養生を施したまま移動させることができるため、養生作業を削減することができ、作業効率を向上することができる。
【００５３】
また、繋ぎ梁２１の延在方向に沿って移動可能に構成された作業ステージ５１を設けることで、既存鉄骨１７と補強梁１９との結合作業などを容易に行うことができる。また、吊り足場の掛けばらし作業がなくなるため、高所作業を大幅に削減することができ、より安全に屋根１５の耐震補強工事を行うことができる。また、足場上に溶接の火花養生を施したまま移動させることができるため、養生作業を削減することができ、作業効率を向上することができる。
【００５４】
尚、本発明は上述した実施形態に限られるものではなく、本発明の趣旨を逸脱しない範囲において、上述した実施形態に種々の変更を加えたものを含む。すなわち、実施形態で挙げた具体的な構造や構成などはほんの一例に過ぎず、適宜変更が可能である。
【符号の説明】
【００５５】
１０…工場  １５…屋根  １７…既存鉄骨  １９…補強梁（耐震補強鉄骨）  ２０…水平ブレース（耐震補強鉄骨）  ２１…繋ぎ梁（耐震補強鉄骨）  ２５…防護構台  ２９…仮設繋ぎ梁（レール）  ３１…仕口部（仕口部分）  ３５…脱落防止金物  ４１…作業ステージ  ５１…作業ステージ  
【図１】
0005574335.tif 000002
【図２】
0005574335.tif 000003
【図３】
0005574335.tif 000004
【図４】
0005574335.tif 000005
【図５】
0005574335.tif 000006
【図６】
0005574335.tif 000007
【図７】
0005574335.tif 000008
【図８】
0005574335.tif 000009
【図９】
0005574335.tif 000010
【図１０】
0005574335.tif 000011
【図１１】
0005574335.tif 000012
【図１２】
0005574335.tif 000013
【図１３】
0005574335.tif 000014
【図１４】
0005574335.tif 000015
【図１５】
0005574335.tif 000016
【図１６】
0005574335.tif 000017
【図１７】
0005574335.tif 000018
【図１８】
0005574335.tif 000019
【図１９】
0005574335.tif 000020
【図２０】
0005574335.tif 000021